(57)【特許請求の範囲】
【請求項１】
ペルチェ素子を首の近傍に装着して身体を冷暖房する身体冷暖房装置において、
身体表面に近い所を通る太い血管の近傍の皮膚に当接する熱伝導性の良い冷却面（発熱面）を備えた複数個の伝熱板と、
前記伝熱板どうしを接続するとともに、前記接続された伝熱板の方向を少なくとも２方向に変えることができるように、少なくとも一方が回動可能に固定され、他方が可動不能に固定されている可撓性連結部材と、
前記伝熱板に設けられたペルチェ素子と、
前記ペルチェ素子の発熱面（冷却面）に設けられた第１の熱交換部と、
前記第１の熱交換部を冷却または加熱する媒体を循環させる循環部と、
前記第１の熱交換部によって熱交換された媒体を冷却または加熱する第２の熱交換部と、
前記第２の熱交換部と前記ペルチェ素子に電力を供給する電源部と、
から少なくとも構成された身体冷暖房装置。
【請求項２】
前記伝熱板の上に設けられたペルチェ素子、第１の熱交換部、および循環部の横断面は、ほぼ蒲鉾型になっていることを特徴とする請求項１に記載された身体冷暖房装置。
【請求項３】
前記第２の熱交換部は、
フィンが取り付けられた縦型の直管である複数本の熱交換部と、
前記熱交換部同士を接続するＵ字管状の連結部と、
前記第１の熱交換部から前記循環部を介して送られて来た前記媒体を蓄え、且つ隣接する前記熱交換部同士を接続するリザーバータンクと、
前記媒体を循環させて冷却または加熱するポンプと、
が一体に構成され、
上から前記リザーバータンク、前記熱交換部、前記ポンプの順に配置されていることを特徴とする請求項１または請求項２に記載された身体冷暖房装置。
【発明の詳細な説明】
【技術分野】
【０００１】
本発明は、ペルチェ素子を用いて身体を冷暖房する身体冷暖房装置に関するものである。特に、本発明の身体冷暖房装置は、身体表面の近い所を通る太い血管の近傍の皮膚（たとえば、首の周り等）に複数個の伝熱板を可撓性を有するヒンジを介して当てることにより、血液の温度を下げる（上げる）身体冷暖房装置に関するものである。また、本発明は、首の周辺に長時間取り付けても、肩が凝らずに、仕事がし易い身体冷暖房装置に関するものである。
【背景技術】
【０００２】
ペルチェ素子を用いた冷暖房服は、たとえば、特開２００４−２６３３２５号公報に記載されている。衣服用温度可変ユニット、および前記ユニットを備えた温度可変服は、たとえば、特開２００８−０３１５８１号公報に記載されている。前記従来の冷暖房服は、ペルチェ素子の冷却面（発熱面）を身体に密着させることが難しく、効果的な冷暖房を行なうことができないという問題があった。
【０００３】
また、前記冷暖房服は、直接肌に当てるものではなく、下着を介する場合、エネルギー効率が悪いという問題があった。また、前記冷暖房服は、ペルチェ素子を仮に身体に密着させることができたとしても、背中や腹部には太い血管がなく、皮膚表面温度を部分的に下げる（上げる）だけであり、身体全体の体温を短時間にコントロールすることが困難であった。
【０００４】
首の周囲全体は、太い血管近傍を冷却する機能を損なうことなく、ひんやり感を瞬時に得ることができる。首の後ろ側には、体温調整を司る動静脈吻合血管（ＡＶＡ）のスイッチがあると言われている（雑学読本  ＮＨＫ  ためしてガッテン  ７  「冷え  血行を促進するスイッチを見つけた」参照）。前記首の後ろを冷暖房することは、前記動静脈吻合血管（ＡＶＡ）を開閉し、血液循環による冷暖房効果を高めることができる。
【０００５】
さらに、特願２００９−１８７６４４号に記載されている身体冷暖房装置は、ペルチェ素子を使用したものである。図４は従来のペルチェ素子を用いた身体冷暖房装置を説明するための図である。図４において、ペルチェ素子４２から少なくとも一部が構成される熱伝導性の良い冷却面（発熱面）を有する熱伝導性金属シート４１は、首４９の表面に近い所を通る太い血管、たとえば、首の周りの皮膚に当接される。
【０００６】
前記一対のペルチェ素子４２の発熱面（冷却面）は、水あるいはクーラントを循環させる循環部（可撓性パイプ４４）と、前記循環部に供給される水あるいはクーラントを冷却または加熱する熱交換部４３と、前記ペルチェ素子４２に電力を供給する電源部（電池）４７と、冷却・制御部４５とから少なくとも構成されている。前記電源部４７および冷却・制御部４５は、電源コード４６により接続されていると同時に、たとえば、身体の腰に設けられたバンド４８に取り付けておく。
【０００７】
身体表面に近い所を通る太い血管は、たとえば、頸動脈、鎖骨下静脈血管、鎖骨下動脈血管、その他、腕、太股等にある動脈または静脈がある。前記熱伝導性金属シート４１は、身体表面に当接する面の反対側におけるペルチェ素子４２の発熱面（冷却面）が設けられる。前記冷却水あるいはクーラントは、循環中に熱交換部４３によって冷却または温められる。また、前記電源部４７は、前記ペルチェ素子４２におけるペルチェ効果を発揮するために電力を前記冷却・制御部４５の制御の基に供給する。
【０００８】
図５（イ）は首の周りに取り付けられた熱伝導性金属シートと、ペルチェ素子と、熱交換部の構造を説明するための平面図、（ロ）はその断面図である。図５（イ）および（ロ）において、熱交換部である第１の水路５１−１、第２の水路５１−２、第３の水路５１−３が第１の可撓性チューブ５２−１、第２の可撓性可撓性チューブ５２−２、第３の可撓性チューブ５２−３、第４の可撓性チューブ５２−４によって図示のごとく接続されている。
【先行技術文献】
【特許文献】
【０００９】
【特許文献１】特開２００４−２６３３２５号公報
【特許文献２】特開２００８−０３１５８１号公報
【特許文献３】特願２００９−１８７６４４号
【発明の概要】
【発明が解決しようとする課題】
【００１０】
身体冷暖房装置は、身体に携帯するものであるため、重量が軽いことが重要である。熱伝導性金属シートは、厚みが厚いほど、熱の伝導が良くなるが、厚みが０．３ｍｍを超えると柔軟性に欠け、首の形状に合わせて成形する必要がある。しかし、首の断面形状は、個人差があり、オーダーメードが必要になるという欠点がある。柔軟性があり、熱伝導率のよい素材としては、グラファイトシートが知られている。前記グラファイトシートは、脆く、剥離し易く、特に、厚み方向の機械的強度が弱い。
【００１１】
また、前記グラファイトシートは、脆く、剥離し易い性質があるため、ペルチェ素子と結合させる構造とした場合、機械的結合強度の不足と内部で破断するという問題があった。さらに、前記グラファイトシートは、熱伝導性金属シートと密着させる必要があるが、凹凸部のために、空気層が存在し、熱伝導性を悪くするとうい問題があった。
【００１２】
前記熱伝導性金属シートは、首に接触しているため、首を前後に動かしたり、あるいは回すことが困難であるだけでなく、長時間装着することで、肩が凝るという問題を有した。また、前記身体冷暖房装置は、厚い熱伝導性金属シートを使用した場合、首に装着する際の柔軟性に問題があった。さらに、前記身体冷暖房装置は、熱伝導性金属シートの部分が嵩張り、保管する場所を取るという問題があった。
【００１３】
さらに、前記リザーバータンクは、前記冷却水あるいはクーラントの漏洩を防止する必要があった。さらに、前記リザーバータンクは、大きさが大きく嵩張るため、身体冷暖房装置として身体に取り付けることとができなかった。前記リザーバータンクは、内部に気泡が入った場合、気泡の浮力よりも、流速の方が早くなり、流速に乗って気泡がポンプ側に入ってしまうという問題があった。前記問題を防止するために、従来のリザーブタンクは、出口付近に、気泡をブロックする遮蔽板を設けていた。しかし、前記遮蔽板は、効果に限界があり、流速を完全に殺して蛇行させるために、大きな筐体が必要であった。
【００１４】
以上のような課題を解決するために、本発明は、複数個からなる熱伝導性金属シートの接続部を上下方向、左右方向、および捻じり方向に動かせるような構成とすることで、首の周囲における可動性を向上させ、長時間の装着においても、作業を快適に行うことができるペルチェ素子を用いた身体冷暖房装置を提供することを目的とする。本発明は、冷却水あるいはクーラントを供給する可撓性チューブをコンパクトにすることで、小型で携帯に便利であり、装着が容易なペルチェ素子を用いた身体冷暖房装置を提供することを目的とする。
【００１５】
本発明は、ペルチェ素子の冷却面（発熱面）を備えた当接面が身体表面に近い所を通る太い血管の皮膚表面に当てることにより、血液を積極的に冷却させて体全体を効率的に冷却（発熱）する身体冷暖房装置を提供することを目的とする。本発明は、単なる冷暖房装置以外に、熱中症等のように早く体温を下げたい場合、あるいは溺れかかって体温が極端に下がった状態、または冬山における凍傷になりそうな状態で早く体温を上げたい場合、その他の医療上必要な場合に便利なペルチェ素子を用いた身体冷暖房装置を提供することを目的とする。
【課題を解決するための手段】
【００１６】
本発明の身体冷暖房装置は、ペルチェ素子を首の近傍に装着して身体を冷暖房するも
のであり、身体表面に近い所を通る太い血管の近傍の皮膚に当接する熱伝導性の良い冷却
面（発熱面）を備えた複数個の伝熱板と、前記伝熱板どうしを接続するとともに、前記接
続された伝熱板の方向を少なくとも２方向に変えることができるように、少なくとも一方
が回動可能に固定され、他方が可動不能に固定されている可撓性連結部材と、前記伝熱板
に設けられたペルチェ素子と、前記ペルチェ素子の発熱面（冷却面）に設けられた第１の
熱交換部と、前記第１の熱交換部を冷却または加熱する媒体を循環させる循環部と、前記
第１の熱交換部によって熱交換された媒体を冷却または加熱する第２の熱交換部と、前記
第２の熱交換部と前記ペルチェ素子に電力を供給する電源部とから少なくとも構成されて
いる。
【００１９】
本発明の身体冷暖房装置において、前記伝熱板の上に設けられたペルチェ素子、第１の熱交換部、および循環部の横断面は、ほぼ蒲鉾型になっていることを特徴とする。
【００２０】
本発明の身体冷暖房装置において、前記第２の熱交換部は、フィンが取り付けられた縦型の直管である複数本の熱交換部と、前記熱交換部同士を接続するＵ字管状の連結部と、前記第１の熱交換部から前記循環部を介して送られて来た前記媒体を蓄え、且つ隣接する前記熱交換部同士を接続するリザーバータンクと、前記媒体を循環させて冷却または加熱するポンプと、が一体に構成され、上から前記リザーバータンク、前記熱交換部、前記ポンプの順に配置されていることを特徴とする。
【発明の効果】
【００２１】
本発明によれば、身体冷暖房装置における当接面を直接、身体表面に近い所を通る太い血管の近傍の皮膚に当接または装着することで、少ないエネルギーによって効率の良い冷暖房装置とすることができる。特に、前記身体冷暖房装置は、首周辺に装着した場合、自由に可動する範囲が広がったため、鉄工所、冷凍室等の内部で働く者にとって、長時間に渡っても快適な作業が容易にできるようになった。
【００２２】
本発明によれば、身体冷暖房装置における当接面を直接、身体表面に近い所を通る太い血管の近傍の皮膚に当接または装着することで、血液を介して、体温を上げ下げできるため、熱中症等、緊急時における身体温度を改善することができる。また、前記身体冷暖房装置は、救急車に常時備えることにより、医療用として、使用できるものである。
【００２３】
本発明によれば、水あるいはクーラントを循環させる循環部、第１の熱交換部、第２の熱交換部、電源部等をコンパクトにすることができるとともに、可撓性連結部材の部分を折ることができる構造にしてあるため、携帯に便利である。前記身体冷暖房装置は、可撓性連結部材の部分を上下方向、左右方向、捻じれ方向に曲げることができるため、首に対するフィット感が向上するとともに、首の動きに対する自由度を増すことができる。
【００２４】
本発明によれば、循環部を合成樹脂製可撓性チューブとすることで弾性を持たせ、前記当接面を身体の必要箇所に容易に装着することができる。
【００２５】
本発明によれば、ペルチェ素子および伝熱板を複数組として、可撓性連結部材で連結しているため、首の形状の異なる者、異なる作業、仕事中または休憩中によって形状を異なるようにでき、使い勝手が向上した。前記複数個の可撓性連結部材によって伝熱板を接続しているため、厚い伝熱板を使用することができるだけでなく、十分な熱伝導を確保できる。
【００２６】
本発明によれば、頸動脈部分を冷暖房すると同時に、首の周囲全体の温度をコントロールすることができるため、血液の冷却（加熱）と冷房時の首の周囲のひんやり感、あるいは暖房時の動静脈吻合血管（ＡＶＡ）の拡張という機能が得られる。
【００２７】
本発明によれば、リザーバータンク、第２の熱交換部、および冷却水を循環させるポンプを一体構造としたため、全体をコンパクトになった以外に、短時間で確実に空気抜きを行うことができる。
【図面の簡単な説明】
【００２８】
【図１】本発明の実施例であり、ペルチェ素子を用いた身体冷暖房装置を説明するための断面図である。（実施例１）
【図２】（イ）は本発明の実施例における伝熱板およびペルチェ素子等を説明するための平面図で、（ロ）は横断面図である。
【図３】本発明の実施例であり、リザーバータンク、第２の熱交換部、およびポンプを説明するための概念図である。
【図４】従来の身体冷暖房装置における伝熱板およびペルチェ素子等を説明するための平面図である。
【図５】従来の身体冷暖房装置を身体に装着した例を説明するための図である。
【発明を実施するための形態】
【００２９】
本発明の身体冷暖房装置は、ペルチェ素子を首の近傍に装着して身体を冷暖房するものであり、首近傍に装着した際に、違和感を生じないようにしたものである。前記ペルチェ素子を用いた身体冷暖房装置は、複数個の伝熱板と、前記複数個の伝熱板を互いに接続する可撓性連結部材と、前記各伝熱板に設けられたペルチェ素子と、前記ペルチェ素子を冷却または加熱する第１の熱交換部と、前記第１の熱交換部に冷媒等の媒体を循環させる循環部と、前記循環部を経た前記媒体を熱交換するための第２の熱交換部と、ペルチェ素子および第２の熱交換部に必要な動力を供給する電源部とから少なくとも構成されている。
【００３０】
前記伝熱板は、身体表面に近い所を通る太い血管（たとえば、首の周りの血管）の近傍の皮膚に当接する熱伝導性の良い冷却面（発熱面）を有し、複数個から構成されている。前記複数個からなる伝熱板は、方向を少なくとも２方向に変えることができる可撓性連結部材によってそれぞれ接続されている。前記可撓性連結部材は、たとえば、可撓性を有する合成樹脂部材からなり、水平方向、上下方向、および捻じれ方向に曲げることが容易にできるものである。
【００３１】
前記ペルチェ素子は、前記伝熱板上に直接設けられているとともに、上部に第１の熱交換部が設けられている。前記循環部は、前記第１の熱交換部を冷却または加熱する媒体を循環させる。また、電源部は、前記第２の熱交換部と前記ペルチェ素子に電力を供給する。第１の熱交換部は、伝熱板およびペルチェ素子と循環部との間の熱交換を行う。第２の熱交換部は、循環部で熱交換された熱を、さらに、強制的に冷却または加熱するものであり、電源装置の近傍、たとえば、腰に着けられたベルトに設けられる。
【００３２】
前記身体冷暖房装置は、複数の伝熱板からなり、これらの伝熱板を可撓性を有する連結部材によって接続することにより、首の太さ、形状が異なっても、首にフィットして、前記首の表面近傍を通る太い血管を効率良く冷却することができる。また、前記可撓性連結部材は、たとえば、ポリプロピレン（ＰＰ）のような材質により、前記伝熱板をいろいろな方向に曲げることができるため、本発明のペルチェ素子を用いた身体冷暖房装置を首の周辺に装着しても、首を自由に曲げ、各種作業を長時間連続して行うことが容易にできる。
【００３３】
前記身体冷暖房装置において、可撓性連結部材は、合成樹脂部材から構成し、少なくとも一方が１軸で伝熱板に回動可能に固定され、他方が別の伝熱板に２軸で回動しないように固定されている。前記可撓性連結部材は、たとえば、可撓性を有する柔軟な合成樹脂製ヒンジから構成されている。前記合成樹脂製ヒンジは、連結部の中間に凹部を設けることにより、上下方向、左右方向、および捻じれ方向に可撓性を持たせることができる。
【００３５】
前記伝熱板との取り付けは、１軸または２軸にして可撓性を多くすることも可能である。前記可撓性連結部材は、両端が固定され、中央部で自由に各方向に回転できるにユニバーサルジョイントを設けることができる。前記ユニバーサルジョイントは、軽合金、アルミニウム、合成樹脂等を用いて軽く作製しておくことが望ましい。
【００３６】
本発明の身体冷暖房装置は、横断面形状がほぼ蒲鉾型に形成されている。すなわち、前記伝熱板の上に設けられたペルチェ素子および第１の熱交換部は、側部に循環部を設けずに、第１熱交換部の真上に置くことができるため、横断面をほぼ蒲鉾型にすることができるとともに、断面積を小型化することができる。
【００３７】
本発明の身体冷暖房装置は、前記各構成要件以外に、第２の熱交換部、リザーバータンク、ポンプが一体に構成されている。また、前記身体冷暖房装置は、前記構成以外に、電源および制御部を備えており、たとえば、身体の腰近傍に設けられかバンドに取り付けられる。前記第２の熱交換部は、前記第１の熱交換部から循環部を介して送られて来た媒体を冷却または加熱しているとともに、伝熱性の良い部材によりフィンを取り付けられた熱交換部と、直管である熱交換部同士を接続するＵ字管状の連結部と、第１の熱交換部から循環部を介して送られて来た媒体を蓄え且つ前記連結部と同様に直管である熱交換部同士を接続するリザーバータンクと、前記媒体を循環させて冷却または加熱するポンプと、が一体に構成されている。前記リザーバータンクは、第１の熱交換部から循環部を介して送られて来た媒体を蓄え、かつ、前記連結部と同様に直管である熱交換部同士を接続している。前記リザーバータンクは、たとえば、循環部（チューブ）を通過して熱交換部を通過した後、前記リザーバータンクに入る。
【００３８】
前記リザーバータンク内に入った媒体は、水により冷却または加熱されるとともに、前記冷却水を複数からなる第２の熱交換部を通過し、外部の循環部（チューブ）に送り出される。前記第２の熱交換部は、ポンプが設けられており、前記媒体を強制的に冷却または暖房する。さらに、前記第２の熱交換部、リザーバータンク、ポンプは、一体にコンパクトに作られている。
【実施例１】
【００３９】
図１は本発明の実施例であり、ペルチェ素子を用いた身体冷暖房装置を説明するための断面図である。図２（イ）は本発明の実施例における伝熱板およびペルチェ素子等を説明するための平面図で、（ロ）は横断面図である。図１と図２（イ）および（ロ）において、前記ペルチェ素子を用いた身体冷暖房装置は、複数個の伝熱板１０−１、１０−２、１０−３と、前記複数個の伝熱板１０−１、１０−２、１０−３を互いに接続する可撓性連結部材１３−１、１３−２と、前記各伝熱板に設けられたペルチェ素子１５−１、１５−２、１５−３と、前記ペルチェ素子１５−１、１５−２、１５−３を冷却または加熱する第１の熱交換部１１−１、１１−２、１１−３と、前記第１の熱交換部１１−１、１１−２、１１−３に冷媒等の媒体を循環させる循環部（可撓性チューブ）１２−１、１２−２、１２−３と、前記循環部（可撓性チューブ）１２−１、１２−２、１２−３を経た前記媒体を熱交換するための第２の熱交換部（図３参照）３３−１、３３−２、３３−３、３３−４、３３−５、３３−６と、ペルチェ素子１５−１、１５−２、１５−３および第２の熱交換部３３−１、３３−２、３３−３、３３−４、３３−５、３３−６に必要な動力を供給する電源部（図において省略）とから少なくとも構成されている。なお、図１の首の後ろに相当する部分における伝熱板１０−２とペルチェ素子１５−２との間には、必要に応じて、スペーサ１４が設けられている。前記スペーサ１４は、使用者の首近傍の形状に合わせておくことにより、使い勝手が良好になる。
【００４０】
前記伝熱板１０−１、１０−２、１０−３は、身体表面に近い所を通る太い血管（たとえば、首の周りの血管）の近傍の皮膚に当接する熱伝導性の良い冷却面（発熱面）を有し、複数個から構成されている。前記身体冷暖房装置の伝熱板１０−１、１０−２、１０−３は、たとえば、銅またはアルミニウム等からなり、０．３ｍｍ程度の薄さに圧延し、高い柔軟性を有するとともに、高い熱伝導性を持たせる。前記伝熱板１０−１、１０−２、１０−３は、高い柔軟性を有するため、前記可撓性連結部材１３−１、１３−２とともに、首の半周以上にフィットすることにより、携帯用の身体冷暖房装置として、冷暖房を効率良く行うことができる。前記伝熱板１０−１、１０−２、１０−３は、可撓性連結部材で接続しているため、必要に応じて、厚さを厚くして、高い熱伝導性を持たせることもできる。
【００４１】
前記複数個からなる伝熱板１０−１、１０−２、１０−３は、方向を少なくとも２方向に変えることができる可撓性連結部材１３−１、１３−２によってそれぞれ接続されている。前記可撓性連結部材１３−１、１３−２は、たとえば、可撓性を有する合成樹脂部材からなり、水平方向、上下方向、および捻じれ方向に曲げることが容易にできるものである。前記可撓性連結部材１３−１、１３−２は、一方を回動できるように一個の鳩目１６−３、他方を回動できないように固定した２個の鳩目１６−１、１６−２によって固定されている。
【００４２】
前記ペルチェ素子１５−１、１５−２、１５−３は、前記伝熱板１０−１、１０−２、１０−３上に直接設けられているとともに、上部に第１の熱交換部１１−１、１１−２、１１−３が設けられている。前記循環部１２−１、１２−２、１２−３は、媒体を循環させて前記第１の熱交換部１１−１、１１−２、１１−３を冷却または加熱する。前記第１の熱交換部１１−１、１１−２、１１−３は、図２（イ）に示すような形状のものを使用することができる。また、電源装置（図示されていない）は、前記第２の熱交換部３３−１、３３−２、３３−３、３３−４、３３−５、３３−６と、前記ペルチェ素子１５−１、１５−２、１５−３に電力を供給する。
【００４３】
第１の熱交換部１１−１、１１−２、１１−３は、伝熱板１０−１、１０−２、１０−３およびペルチェ素子１５−１、１５−２、１５−３と循環部１２−１、１２−２、１２−３との間の熱交換を行う。第２の熱交換部３３−１、３３−２、３３−３、３３−４、３３−５、３３−６（図３参照）は、循環部１２−１、１２−２、１２−３で熱交換された熱を、さらに、強制的に冷却または加熱するものであり、電源装置の近傍、たとえば、腰に着けられたベルトに設けられる。
【００４４】
前記可撓性連結部材１３−１、１３−２は、たとえば、ポリプロピレン（ＰＰ）のような材質で構成されるとともに、図２（イ）に示されるような形状をしている。前記可撓性連結部材１３−１、１３−２は、前記伝熱板１０−１、１０−２、１０−３をいろいろな方向に曲げることができる。前記可撓性連結部材１３−１、１３−２は、材質あるいは形状を変えることにより、使用する者の使い勝手を良くすることができる。
【００４５】
また、可撓性連結部材１３−１、１３−２は、他の合成樹脂部材から構成し、少なくとも一方が１軸で伝熱板１０−１に回動可能に固定され、他方が別の伝熱板１０−２に２軸で回動しないように固定されている。前記可撓性連結部材１３−１、１３−２は、たとえば、可撓性を有する柔軟な合成樹脂製ヒンジから構成されている。前記合成樹脂製ヒンジは、連結部の中間に凹部を設けることにより、上下方向、左右方向、および捻じれ方向に可撓性を持たせることができる。前記合成樹脂製ヒンジは、たとえば、鳩目１６−１、１６−２、１６−３によって、一方を固定、他方を回動自在にすることにより、ヒンジを構成することができる。
【００４６】
さらに、他の図示されていない可撓性連結部材は、上下方向、左右方向、および捻じれ方向に可撓性を有する部材から構成する。前記可撓性連結部材は、首周りの異なる人、あるいは首をいろいろな方向に曲げることができるため、長時間装着しても、違和感あるいは疲労感がない。前記可撓性連結部材は、止める部分以外の断面をほぼ円形に近い形状とすることで、前記３方向に可撓性を持たせることが容易にできる。
【００４７】
図２（ロ）において、第１の熱交換部１１−１、１１−２、１１−３の断面が示されている。前記横断面形状は、ほぼ蒲鉾型に形成されている。すなわち、前記伝熱板１０−１、１０−２、１０−３の上に設けられたペルチェ素子１５−１、１５−２、１５−３、および第１の熱交換部１１−１、１１−２、１１−３は、側部に循環部（可撓性チューブ）１２−１、１２−２、１２−３を設けずに、第１の熱交換部１１−１、１１−２、１１−３の真上に置くことができるため、横断面をほぼ蒲鉾型にすることができるとともに、横断面積を小型化することができる。図２に示された部分は、必要に応じて、布製のカバーで覆うことができる。
【００４８】
図３は本発明の実施例であり、リザーバータンク、第２の熱交換部、およびポンプを説明するための概念図である。リザーバータンク３２は、複数本が連結された状態から構成された第２の熱交換部３３−１、３３−２、３３−３、３３−４、３３−５、３３−６、およびポンプ３４が一体になっている。前記リザーバータンク３２は、蓋３１を備えており、水が減少した場合、前記蓋３１を開けて補給することができる。前記第２の熱交換部３３−１、３３−２、３３−３、３３−４、３３−５、３３−６は、ポンプ３１および連結部３６−１、３６−２、３６−３によって連結されている。前記第２の熱交換部３３−１は、前記連結部３６−１を通り、第２の熱交換部３３−２を介してリザーバータンク３２に入る。
【００４９】
前記リザーバータンク３２に入った水は、第２の熱交換部３３−３を通過してポンプ３４により冷却（加熱）された後、第２の熱交換部３３−４を通過して前記連結部３６−２を介して、第２の熱交換部３３−５、連結部３６−３、第２の熱交換部３３−６を介して外部に出て、その間に熱交換が行われる。また、前記第２の熱交換部３３−２に入った空気は、縦型の直管となっているため、前記リザーバータンク３２の上部に溜まり、ポンプ３４に侵入しない。万一、空気がポンプ３４に侵入し、前記ポンプ３４が空転した場合であっても、前記ポンプ３４を停止すると、気泡は、浮力でリザーバータンクに戻り、前記ポンプ３４を再起動させることにより、再び水を循環させることができる。前記熱交換部は、銅またはアルミニウム等の伝熱性の良い部材によりフィンを取り付ける。また、前記フィンは、取り付け以外に押し出し加工により、簡単に作製することができる。また、前記フィンは、熱伝導性接着剤あるいはハンダ付け、または銀ペーストによって固定することもできる。
【００５０】
前記身体冷暖房装置は、前記構成以外に、図４の従来例と同様に、電源装置および制御部を備えており、たとえば、身体の腰近傍に設けられるようになっている。前記第２の熱交換部は、前記第１の熱交換部から循環部を介して送られて来た媒体を冷却または加熱している。前記リザーバータンクは、前記第２の熱交換部を冷却する冷却水等を蓄えており、第２の熱交換部を介してポンプ３４に接続されている。前記ポンプは、前記媒体を第２の熱交換部により熱交換し、前記循環部を介して循環させる。
【００５１】
たとえば、冷房時のペルチェ素子の表面温度と快適性は、実験により次の関係が得られた。
１５℃〜２０℃        ２０℃〜２５℃          ２５℃以上
快適温度              使用場所に              効果無し
よっては物足りない
【００５２】
前記実験において、伝熱板を使用した場合でも、頸動脈部分で熱交換できるのは一ヶ所に付き１０ｗから２０ｗ程度で、それ以上の冷却を行なうと低温になり過ぎて痛みや凍傷の危険性を伴う。さらに、冷却には、ペルチェ素子の数を増やして頸動脈以外の鎖骨下、脇の下、足の付け根などの太い血管が皮膚表面近くにある部分を複数ヶ所冷却すると冷却能力を上げることができる。
【００５３】
以上、本発明の実施例を詳述したが、本発明は、前記実施例に限定されるものではない。そして、本発明は、特許請求の範囲に記載された事項を逸脱することがなければ、種々の設計変更を行うことが可能である。たとえば、ペルチェ素子、可撓性チューブ、ポンプ、熱交換部等の材質は、公知または周知のものが使用できる。
【符号の説明】
【００５４】
１０−１、１０−２、１０−３・・・伝熱板
１１−１、１１−２、１１−３・・・第１の熱交換部
１２−１、１２−２、１２−３・・・循環部（可撓性チューブ）
１３−１、１３−２・・・可撓性連結部材
１４・・・スペーサ
１５−１、１５−２、１５−３・・・ペルチェ素子
１６−１、１６−２、１６−３・・・鳩目
３１・・・蓋
３２・・・リザーバータンク
３３−１、３３−２、３３−３、３３−４、３３−５、３３−６・・・第２の熱交換部
３４・・・ポンプ
３５・・・水
３６−１、３６−２、３６−３・・・連結部
【図１】
0005854376.tif 000002
【図２】
0005854376.tif 000003
【図３】
0005854376.tif 000004
【図４】
0005854376.tif 000005
【図５】
0005854376.tif 000006